(57)【特許請求の範囲】
【請求項１】
下方に開口する複数の製氷室を有する製氷器と、前記各製氷室に製氷用水を供給する複数の噴出孔を有し前記製氷器の下方にて上下動可能に配置されて前記各製氷室の下端開口部を閉塞する水皿と、同水皿を下動して前記各製氷室を開放する駆動手段を備え、前記各製氷室を前記水皿にて閉塞した状態で同水皿の各噴出孔から前記各製氷室に製氷用水を供給しつつ製氷運転を行い、製氷運転終了後に、前記製氷器の各製氷室と前記水皿間に形成される氷を融解しつつ前記水皿を前記駆動手段の作動により下動させて前記製氷器から引剥がし、前記製氷器から融解して離脱する平板状の氷を引剥がされた前記水皿上に受承する除氷運転を行う製氷機において、前記水皿の下方への移動を、同水皿を前記製氷器に対して下方へ水平状態に平行移動させる第１段の平行動作と、同水皿の後端側の支持部を基点として前端側が下方へ回動する第２段の傾斜動作の２段階で行うように構成したことを特徴とする製氷機。
【請求項２】
請求項１に記載の製氷機において、前記駆動手段は、前記水皿に当接して回転時同水皿を下方へ押動して前記製氷器から引剥がす押動カムと、同押動カムと前記水皿とを連結し同水皿が前記製氷器から引剥がされた際同水皿を水平状態に保持し、かつ、前記押動カムのその後の回転により前記水皿を傾斜状態に支持する複数の連結アームを備えていることを特徴とする製氷機。
【請求項３】
請求項１または２に記載の製氷機において、前記水皿の後端部には、同水皿の傾斜動作に連動して作動し同水皿に受承された平板状の氷を背部から押動する押動手段を備えていることを特徴とする製氷機。
【請求項４】
請求項３に記載の製氷機において、前記押動手段は、前記水皿の後端部上にて同水皿が受承する平板状の氷の背部に位置する押動ロッドと、同押動ロッドを前記水皿の後端部に連結するバネ部材と、前記押動ロッドに連結されて前記水皿の傾斜動作時に同水皿に係合して引張されて前記押動ロッドを前方へ引張り操作する引張ワイヤを備えていることを特徴とする製氷機。
【請求項５】
請求項１，２，３または４に記載の製氷機において、前記水皿の前端部の表面には、三角形状に上方へ突出するリブを左右方向に複数備えていることを特徴とする製氷機。
【発明の詳細な説明】
【０００１】
【発明の属する技術分野】
本発明は製氷機に関し、特に、薄板状の連結部に多数の角氷部を一体的に有する平板状の氷を製造するための製氷機、所謂、セル型製氷機に関する。
【０００２】
【従来の技術】
製氷機の一形式として、例えば、実公昭６０−３８１２２号公報および実公平５−３７１７５号公報に示されているように、下方に開口する複数の製氷室を有する製氷器と、各製氷室に製氷用水を供給する複数の噴出孔を有し製氷器の下方にて上下動可能に配置されて各製氷室の下端開口部を閉塞する水皿と、水皿を下動して各製氷室を開放する駆動手段を備えた形式の製氷機がある。
【０００３】
当該形式の製氷機においては、各製氷室を水皿にて閉塞した状態で水皿の各噴出孔から各製氷室に製氷用水を供給しつつ製氷運転を行い、製氷運転終了後に、製氷器の各製氷室と水皿間に形成される氷を融解しつつ水皿を駆動手段の作動により下動させて製氷器から引剥がし、製氷器から融解して離脱する平板状の氷を引剥された水皿上に受承する除氷運転を行うものであり、水皿上に受承された平板状の氷は水皿を傾斜状態としてその表面を滑動させて袋詰め工程へ搬送される。
【０００４】
【発明が解決しようとする課題】
ところで、当該形式の製氷機にて製造される氷は、平板状を保持した状態で袋詰め工程へ搬送されて袋詰めされるのが袋詰めする側から要請されている。このため、当該形式の製氷機の除氷運転における氷の水皿上への受承時や水皿上に受承された氷の搬送時に、平板状の氷が多数の角氷に分離する破壊を生じさせないようにすることが必要である。
【０００５】
しかしながら、上記した前者の公報に示された製氷機においては、製氷器から融解して各製氷室から離脱する平板状の氷を傾斜状態にある水皿上へ落下させて、その勢いで傾斜状の水皿上を滑動させるものであり、氷の水皿上への落下時に平板状の氷が多数の角氷に破壊されることになる。
【０００６】
これに対して、上記した後者の公報に示された製氷機はかかる問題に対処したもので、平板状の氷の水皿上への落下を緩衝するための氷受板を設けて、平板状の氷を氷受板と水皿の一部とで支持しつつ下降させて、水皿上には衝撃を与えずに軟着陸させることを意図しているものである。かかる手段によれば、平板状の氷が破壊されることはないが、水皿の回動制御手段とは別に、氷受板を水皿の傾動に連動して回動制御するための駆動手段および制御手段が必要であり、製氷機のコストを増大させることになる。
【０００７】
また、当該製氷機においては、平板状の氷が過冷却の状態にあると、氷受板と水皿の一部とで支持した状態では破壊されるおそれがある。さらには、水皿上に受承した氷は、水皿の傾斜に応じた自然落下状態で水皿の表面を滑動して搬送されるもので、平板状の氷が円滑に滑動しない場合には、多数の角氷に破壊されるおそれがある。
【０００８】
従って、本発明の目的は、当該形式の製氷機において、融解して製氷器の各製氷室から離脱する平板状の氷を、下動している水皿上に大きな衝撃を与えることなく受承させて平板状の氷の破壊を防止し、さらには、水皿上に受承された平板状の氷を水皿の表面を円滑に滑動させて搬送するようにすることにある。
【０００９】
【課題を解決するための手段】
本発明は製氷機に関し、特に、下記に示す形式の製氷機を適用対象とするものである。すなわち、本発明は、下方に開口する複数の製氷室を有する製氷器と、前記各製氷室に製氷用水を供給する複数の噴出孔を有し前記製氷器の下方にて上下動可能に配置されて前記各製氷室の下端開口部を閉塞する水皿と、同水皿を下動して前記各製氷室を開放する駆動手段を備え、前記各製氷室を前記水皿にて閉塞した状態で同水皿の各噴出孔から前記各製氷室に製氷用水を供給しつつ製氷運転を行い、製氷運転終了後に、前記製氷器の各製氷室と前記水皿間に形成される平板状の氷を融解しつつ前記水皿を前記駆動手段の作動により下動させて前記製氷器から引剥がし、前記製氷器から融解して離脱する平板状の氷を引剥がされた前記水皿上に受承する除氷運転を行うようにした形式の製氷機を適用対象とするものである。
【００１０】
しかして、本発明は上記した形式の製氷機において、前記水皿の下方への移動を、同水皿を前記製氷器に対して下方へ水平状態に平行移動させる第１段の平行動作と、同水皿の後端側の支持部を基点として前端側が下方へ回動する第２段の傾斜動作の２段階で行うように構成したことを特徴とするものである。
【００１１】
本発明に係る製氷機においては、前記駆動手段を、前記水皿に当接して回転時同水皿を下方へ押動して前記製氷器から引剥がす押動カムと、同押動カムと前記水皿とを連結し同水皿が前記製氷器から引剥がされた際同水皿を水平状態に保持し、かつ、前記押動カムのその後の回転により前記水皿を傾斜状態に支持する複数の連結アームを備えた構成とすることができる。
【００１２】
また、本発明に係る製氷機においては、前記水皿の後端部に、同水皿の傾斜動作に連動して作動して同水皿上に受承された平板状の氷を背部から押動する押動手段を備えた構成とすることができる。
【００１３】
この場合、前記押動手段は、前記水皿の後端部上にて同水皿が受承する平板状の氷の背部に位置する押動ロッドと、同押動ロッドを前記水皿の後端部に連結するバネ部材と、前記押動ロッドに連結されて前記水皿の傾斜動作時に同水皿に係合して引張されて前記押動ロッドを前方へ引張り操作する引張ワイヤを備えた構成とすることができる。
【００１４】
また、本発明に係る製氷機においては、前記水皿の前端部の表面に、三角形状に上方へ突出するリブを左右方向に複数設けるようにすることができる。
【００１５】
【発明の作用・効果】
本発明に係る製氷機によれば、水皿の下方への移動を、水皿を製氷器に対して下方へ水平状態に平行移動させる第１段の平行動作と、水皿の後端側の支持部を基点として前端側が下方へ回動する第２段の傾斜動作の２段階で行うように構成しているので、融解して製氷器の各製氷室から離脱する平板状の氷を、第１段の平行動作している水平状態にある水皿上に大きな衝撃を与えることなく受承させることができる。このため、平板状の氷は破壊されることなく水皿上に受承される。
【００１６】
水皿上に受承された平板状の氷は、その後の水皿の第２段の傾斜動作により、水皿の表面を滑動して平板状態を破壊されることなく袋詰め工程へ搬送され、袋詰め工程では効率よく袋詰めされる。
【００１７】
本発明に係る製氷機においては、水皿を上記した２段の下動動作をさせる手段として、前記駆動手段を、水皿に当接して回転時に水皿を下方へ押動して製氷器から引剥がす押動カムと、押動カムと水皿とを連結し水皿が製氷器から引剥がされた際水皿を水平状態に保持し、かつ、押動カムのその後の回転により水皿を傾斜状態に支持する複数の連結アームを備えた構成とすることができる。
【００１８】
かかる構成によれば、水皿の駆動手段とは別に、従来のこの種形式の製氷機のごとき、水皿の傾斜動作に連動して回動制御するための他の特別の駆動手段および制御手段は不要であり、製氷機のコストが増大することはない。
【００１９】
また、本発明に係る製氷機においては、上記した２段の下動動作する構成に加えて、水皿の後端部に、水皿の傾斜動作に連動して作動して水皿が受承する平板状の氷を背部から押動する押動手段を設けることができる。かかる構成によれば、水皿上に受承された平板状の氷は、搬送時には押動手段による押動力が付加されて、水皿の表面を円滑かつ確実に滑動する。
【００２０】
この場合、押動手段を、水皿の後端部上にて水皿が受承する平板状の氷の背部に位置する押動ロッドと、押動ロッドを水皿の後端部に連結するバネ部材と、押動ロッドに連結されて水皿の傾斜動作時に水皿に係合して引張されて押動ロッドを前方へ引張り操作する引張ワイヤを備えた構成とすることが好ましい。かかる構成によれば、押動ロッドを駆動させるための駆動力として、水皿の傾斜動作時の動作力をそのまま利用することができるため、押動ロッドを駆動するための特別の駆動手段は不要である。
【００２１】
また、本発明に係る製氷機においては、上記した２段の下動動作する構成に加えて、水皿の前端部の上面に、三角形状に上方へ突出するリブを左右方向に複数設けるようにすることができる。かかる構成によれば、平板状の氷は、水皿の表面を滑動する際すぐに各リブ上に乗って水皿の表面との間に隙間を形成するため、水皿の表面を滑動する際に、水皿の表面に存在する水滴による水皿の表面への吸着や、水皿の表面に多数開口する製氷用水の噴出孔に対する引掛かりが防止される。このため、平板状の氷は、水皿の表面を一層円滑に滑動する。
【００２２】
【発明の実施の形態】
以下、本発明を図面に基づいて説明すると、図１および図２は、袋詰めされた平板状の氷１１を示している。当該平板状の氷１１（以下これを単に氷１１ということがある）は、図３に示す氷製造装置を構成する製氷機２０にて製造され、製氷機２０の前側に配設されている袋詰装置３０にて袋詰めされたものである。
【００２３】
図１および図２に示す氷１１は、薄板状の連結部１１ａと、連結部１１ａ上に一体的に形成されて多数のスリット１１ｂにて区画された多数の角氷部１１ｃにて構成されている。氷１１は、上下２枚の樹脂フィルム１２ａ，１２ｂからなる透明な袋１２に収容されていて、使用時には、氷１１は袋１２から取出されて、各角氷部１１ｃを各スリット１１ｂに沿って分離して個々に角氷とされる。
【００２４】
当該氷製造装置を構成する製氷機２０は、図３および図４に示すように、機台のフレームＦ1の上方部に配設した製氷部２０ａおよび可動機構部２０ｂと、フレームＦ1の底部の隅部に配設した製氷用水タンク２０ｃを備えている。
【００２５】
製氷部２０ａは、製氷器２１および水皿２２を備えているもので、製氷器２１は、頂壁部を有して下方へ開口する方形箱状の枠部２１ａと、枠部２１ａ内に位置して同枠部２１ａ内を多数の製氷室２１ｂに区画する多数の仕切壁２１ｃと、枠部２１ａの頂壁部に配置した冷却部２１ｄからなり、仕切壁２１ｃは枠部２１ａの周囲壁部よりわずかに短く形成されている。製氷室２１ｂは、氷１１の各角氷部１１ｃに対応する形状を呈している。冷却部２１ｄは、熱伝導性の良好なパイプを多数回屈曲して形成した蒸発器であって、製氷運転時には、内部を流通する冷却媒体にて製氷器２１の各製氷室２１ｂ内を冷却し、除氷運転時には、内部に供給されるホットガスにて製氷室２１の各製氷室２１ｂ内の氷を融解させる。
【００２６】
水皿２２は、後述する可動機構部２０ｂにて支持されて製氷部２０ａの下方に配置されているもので、上方皿部２２ａと、上方皿部２２ａの下面側に配置された複数本の給水通路２２ｂと、上方皿部２２ａから流下する水を下方の製氷用水タンク２０ｃへ導くロート状の捕集水部２２ｃからなり、上方皿部２２ａの上面および給水通路２２ｂの上面には、各製氷室２１ｂの下端開口部に対向する噴出孔２２ｄが形成されている。
【００２７】
給水通路２２ｂは、製氷用水タンク２０ｃに設けた給水ポンプ２３ａに連結ホース２３ｂを介して連結されており、給水ポンプ２３ａの駆動により、製氷用水タンク２０ｃ内に貯留する製氷用水が給水通路２２ｂへ給水されるように構成されている。供給された製氷用水は、各噴出孔２２ｄを通して各製氷室２１ｂに供給される。
【００２８】
また、上方皿部２２ａの表面に前端部には、複数個のリブ２２ｅが形成されている。各リブ２２ｅは三角形の山形状のもので、前端縁側が漸次高くなるように上方へ突出する山形状を呈しており、左右方向に所定間隔を保持して互いに並列している。
【００２９】
水皿２２は、上方皿部２２ａの表面を製氷器２１の枠部２１ａにおける周囲壁部の下端に当接した状態で配設されていて、上方皿部２２ａの表面と各仕切壁２１ｃの下端との間には、所定の隙間が確保されている。この隙間は、平板状の氷１１の連結部１１ａを形成するもので、この連結部１１ａには各製氷室２１ｂにて形成される各角氷部１１ｂが一体的に結合される。なお、上方皿部２２ａの表面には、フレームＦ1に設けた給水管２３ｃを通して図示しない給水源からも給水されるようになっている。
【００３０】
可動機構部２０ｂは、左右一対の駆動アーム２４、第１，第２，第３連結アーム２５ａ，２５ｂ，２５ｃ、テンションスプリング２６ａ、および引張ワイヤ２６ｂと、押動ロッド２７および駆動モータ２８とを備えている。駆動アーム２４は、円形状本体２４ａと、その外周縁から直交して延びるアーム部２４ｂとからなるもので、左右の両駆動アーム２４は回転軸２４ｃを介して互いに連結されている。回転軸２４ｃは、駆動アーム２４の円形状本体２４ａにおける中心部から偏倚した部位に連結されていて、各駆動アーム２４をアーム部２４ｂが垂直上方へ突出した状態に起立させ、円形状本体２４ａの外周の下端縁部を水皿２２の左右の各側縁部上に当接させている。これにより、駆動アーム２４の円形状本体２４ａは水皿２２を押動する押動カムとして機能する。
【００３１】
各連結アーム２５ａ，２５ｂ，２５ｃのうち、第１連結アーム２５ａは駆動アーム２４と水皿２２を連結するもので、その上端部にて駆動アーム２４のアーム部２４ｂの上端部に回動可能に連結され、かつ、その下端部にて水皿２２の捕集水部２２ｃの側部に連結されている。第１連結アーム２５ａの下端部には長手方向に延びる長穴２５ａ1が形成されていて、捕集水部２２ｃの側部前側に突設した連結ピン２２ｃ1が長穴２５ａ1に移動可能に嵌挿されて、第１連結アーム２５ａと水皿２２が連結されている。
【００３２】
第２連結アーム２５ｂは、駆動アーム２４と第３連結アーム２５ｃとを連結するもので、その一端部にて駆動アーム２４の円形状本体２４ａに回動可能に連結され、かつ、その他端部にてフレームＦ1に回動可能に支持した第３連結アーム２５ｃの一端部に連結されている。第２連結アーム２５ｂの一端部は、駆動アーム２４の円形状本体２４ａにおける回転軸２４ｃの連結部位より高い部位に連結されている。また、第２連結アーム２５ｂの他端部には、長手方向に延びる長穴２５ｂ1が形成されていて、第３連結アーム２５ｃの一端部を捕集水部２２ｃの側部に回動可能に連結する連結ピン２５ｃ1が長穴２５ｂ1に移動可能に嵌挿されて、第２連結アーム２５ｂが駆動アーム２４と第３連結ピン２５ｃとに連結されている。
【００３３】
可動機構部２０ｂにおいては、駆動アーム２４、第１，第２，第３連結アーム２５ａ，２５ｂ，２５ｃにて水皿２２を支持して、水皿２２を製氷部２０ａにおける製氷器２１の下方に位置させている。
【００３４】
押動ロッド２７は、水皿２２の捕集水部２２ｃにおける左右上端部に移動可能に載置されているもので、押動ロッド２７の左右の各端部には、捕集水部２２ｃの後端壁部に掛止した左右一対のテンションスプリング２６ａが掛止されている。また、押動ロッド２７の各端部には、一端をフレームＦ1の側部に掛止した引張ワイヤ２６ｂの他端が連結されている。引張ワイヤ２６ｂは、押動ロッド２７の端部から下降傾斜して、水皿２２の捕集水部２２ｃの側部に突設した係合ピン２２ｆの所定量下方を通って前端側へ延びている。
【００３５】
当該製氷機２０は、図示しない公知の制御装置により、製氷運転、水皿下降、除氷運転、水皿上昇の４工程の作動を制御されるもので、運転停止時においては、製氷部２０ａおよび可動機構部２０ｂは図４および図５（ａ）に示す状態にある。この状態では、製氷器２１の製氷室２１ｂは水皿２２の上方皿部２２ａにて閉塞されており、製氷運転時には、公知の冷凍装置から冷却部２１ｄへ冷却媒体が循環供給されて製氷室２１ｄが冷却される。この間、給水ポンプ２３ａの駆動により、製氷用水タンク２０ｃ内の製氷用水が水皿２２の給水通路２２ｂに供給され、供給された製氷用水は各噴出孔２２ｄから噴出して各製氷室２１ｄに供給される。供給された製氷用水の一部は製氷室２１ｂにて氷結し、残りは捕集水部２２ｃを経て製氷用水タンク２０ｃに還流する。
【００３６】
所定時間製氷運転を行うと、製氷室２１ｂと上方皿部２２ａ間で平板状の氷１１が形成され、製氷器２１に設けた図示しないサーミスタがこれを検知し、製氷完了の検出信号を制御装置に出力する。この結果、制御装置は製氷機２０を製氷運転から除氷運転に切替えるとともに、可動機構部２０ｂを駆動させる。
【００３７】
除氷運転では、製氷器２１の冷却部２１ｄに公知の冷凍装置からホットガスが供給されるとともに、各噴出孔２２ｄからの製氷用水の供給が継続され、同時に給水管２３ｃから製氷用水が水皿２２の上方皿部２２ａ上に散水供給される。この間に供給された製氷用水は、捕集水部２２ｃを経て製氷用水タンク２０ｃに還流する。これにより、水皿２２の上方皿部２２ａが製氷室２１ｂに形成された氷１１から剥離し易い状態を形成する。
【００３８】
製氷用水の製氷用水タンク２０ｃからの供給、および給水管２３ｃからの供給は、制御装置にてタイマ制御されていて所定時間経過後に停止され、その後、可動機構部２０ｂの駆動が開始される。可動機構部２０ｂの駆動開始は駆動モータ２８の駆動によりなされる。駆動モータ２８の駆動により、駆動アーム２４は図示時計方向へ回動される。
【００３９】
駆動アーム２４の回動により、円筒状本体２４ａは押動カムとして機能して、図５（ｂ）に示すように回動して水皿２２を押下げて、水皿２２を製氷器２１に凍結している氷１１から剥離させる。この間、第１連結アーム２５ａおよび第２連結アーム２５ｂは、駆動アーム２４の回動に伴って回動しつつ下方へ移動しようとするが、水皿２２が氷１１から剥離するまでは、各連結アーム２５ａ，２５ｂに設けた長穴２５ａ1，２５ｂ1と、連結ピン２２ｃ１，２５ｃ1との作用により、両連結アーム２５ａ，２５ｂの移動は規制される。
【００４０】
水皿２２が氷１１から剥離すると、第１，第２連結アーム２５ａ，２５ｂは、駆動アーム２４の回動に伴って回動しつつ下方へ移動して第３連結アーム２５ｃを回動させ、水皿２２はこれらの連結アーム２５ａ〜２５ｃに支持されて、水平状態を保持して漸次下降する。この間、駆動アーム２４の回転軸２４ｃに設けた突起２４ｄがスイッチｓｗ1に当接し、スイッチｓｗ1は動作して駆動モータ２８を停止させ、水皿２２を図５（ｃ）に示すように、製氷器２１の所定量下方にて水平状態に支持される。
【００４１】
また、スイッチｓｗ1の動作により、給水管２３ｃから水皿２２の上方皿部２２ａ上へ所定時間給水されて、上方皿部２２ａの表面に凍結している残氷を溶解して上方皿部２２ａの表面を清掃する。給水管２３から所定時間給水された水は捕集水部２２ｃを経て製氷用水タンク２０ｃに流出される。製氷器２１の製氷室２１ｂに凍結している氷１１は、冷却部２１ｄに供給されているホットガスの融解作用、各供給水の融解作用にて製氷室２１ｂから離脱して、水皿２２の上方皿部２２ａの表面にゆっくりと落下する。
【００４２】
氷１１の上方皿部２２ａの表面への落下は、製氷器２１に設けた図示しないサーミスタにより検知され、冷却部２１ｄへのホットガスの供給が停止されて除氷運転が終了し、製氷機２０は製氷運転が開始できる状態に切替わる。
【００４３】
また、駆動モータ２８の駆動が再開されて、駆動アーム２４はさらに図示時計方向への回動する。このため、第１，第２連結アーム２５ａ，２５ｂはさらに回動しつつ下方へ移動して、第１連結アーム２５ａは水皿２２の前端側を下方へ押動して水皿２２を回動させ、図５（ｄ）に示すように、前方へ下降傾斜する傾斜状態とする。
【００４４】
この水皿２２の前方への回動動作時には、引張ワイヤ２６ｂが水皿２２に設けた係合ピン２２ｆに係合され、引張ワイヤ２６ｂは係合ピン２２ｆにより下方へ引張られる。この結果、両引張ワイヤ２６ｂに連結されている押動ロッド２７がテンションスプリング２６ａに抗して前方へ引張られて、押動ロッド２７は図５（ｄ）に示すように、氷１１を背部から押動しつつ前方へ所定量移動する。これにより、氷１１は平板状の状態で、水皿２２の上方皿部２２ａの表面を滑動して前端縁部の各リブ２２ｅ上に乗り上げ、上方皿部２２ａの上面との間に隙間を形成して非密着状態として滑らかに前方へ移動して、前方に配設した袋詰装置３０に搬送される。
【００４５】
この時点では、駆動アーム２４の突起２４ｄはスイッチｓｗ2に当接して、スイッチｓｗ2を動作して駆動モータ２８を一旦停止させ、次いで、駆動モータ２８を逆転駆動させて駆動アーム２４を図示反時計方向へ回動させる。駆動アーム２４が図示反時計方向へ回動して突起２４ｄがスイッチｓｗ3に当接すると、スイッチｓｗ3が動作して駆動モータ２８を停止して、駆動アーム２４の回動を停止させる。その後、給水ポンプ２３ａが駆動して、製氷用水を製氷器２１の製氷室２１ｂに供給して製氷運転が再開される。
【００４６】
駆動アーム２４が回動復帰する間、各連結アーム２５ａ，２５ｂ，２５ｃは駆動アーム２４の回動に伴い、水皿２２の下降時とは逆の方向へ回動して上方へ移動し、水皿２２を図５（ｄ）に示す下降傾斜状態から同図（ｃ）および（ｂ）に示す水平状態を経て、同図（ａ）に示す製氷運転可能状態に復帰させる。
【００４７】
なお、袋詰装置３０側に搬送された氷１１は、押動機構３０ａに押動されて、両樹脂フィルム１２ａ，１２ｂ間に挿入され、シール機構３０ｂにて両樹脂フィルム１２ａ，１２ｂをシールして袋詰めされるとともに、切断機構３０ｃにて袋１２の後側シール部の後方を切断されて、図示しない冷凍ストーカへ搬送される。
【００４８】
ところで、当該製氷機２０によれば、水皿２２の下方への移動を、図５（ｃ）に示すように、水皿２２を製氷器２１に対して下方へ水平状態に平行移動させる第１段の平行動作と、同図（ｄ）に示すように、水皿２２の後端側の支持部を基点として前端側が下方へ回動する第２段の傾斜動作の２段階で行うように構成しているので、融解して製氷器２１の各製氷室２１ｂから離脱する平板状の氷１１を、第１段の平行動作している水平状態にある水皿２２の上方皿部２２ａの表面（以下水皿２２の表面という）に大きな衝撃を与えることなく受承させることができる。このため、平板状の氷１１は破壊されることなく水皿２２の表面に受承される。
【００４９】
水皿２２の表面に受承された平板状の氷１１は、その後の水皿２２の第２段の傾斜動作により、水皿２２の表面を滑動して平板状態を破壊されることなく袋詰装置３０へ搬送され、袋詰装置３０では効率よく袋詰めされる。
【００５０】
また、当該製氷機２０においては、水皿２２を上記した２段の下動動作をさせる手段として、水皿２２の駆動手段である可動機構部２０ｂを、水皿２２に当接して回転時に水皿を下方へ押動して製氷器２１から引剥がす押動カムの機能を有する駆動アーム２４と、駆動アーム２４と水皿２２とを連結し水皿２２が製氷器２１から引剥がされた際水皿２２を水平状態に保持し、かつ、駆動アーム２４のその後の回転により水皿２２を傾斜状態に支持する第１，第２、第３連結アーム２５ａ，２５ｂ，２５ｃを備えた構成として、水皿２２を上記した２段の下動動作をさせるための駆動手段の構成を簡単化している。
【００５１】
また、当該製氷機２０においては、上記した２段の下動動作する構成に加えて、水皿２２の後端部に、水皿２２の傾斜動作に連動して作動して水皿２２が受承する平板状の氷１１を背部から押動する押動手段を設けて、水皿２２上に受承された平板状の氷１１を、搬送時には押動手段による押動力を付与して、水皿２２の表面を円滑かつ確実に滑動するようにしている。
【００５２】
なお、押動手段としては、水皿２２の後端部上にて水皿２２が受承する平板状１１の氷の背部に位置する押動ロッド２７と、押動ロッド２７を水皿２２の後端部に連結するテンションスプリング２６ａと、押動ロッド２７に連結されて水皿２２の傾斜動作時に水皿２２の係合ピン２２ｆに係合して引張されて押動ロッド２７を前方へ引張り操作する引張ワイヤ２６ｂを備えた構成としている。これにより、押動ロッド２７を駆動させるための駆動力として、水皿２２の傾斜動作時の動作力をそのまま利用して押動ロッド２７を駆動するための特別の駆動手段を不要としている。
【００５３】
また、当該製氷機２０においては、上記した２段の下動動作する構成に加えて、水皿２２の前端部の上面に、三角形状に上方へ突出する複数のリブ２２ｅを設けて、平板状の氷１１が水皿２２の表面を滑動する際にすぐに各リブ２２ｅ上に乗って水皿２２の表面との間に隙間を形成させるようにしている。これにより、平板状に氷１１が水皿２２の表面を滑動する際の、水皿２２の表面に存在する水滴による水皿２２の表面への吸着や、水皿２２の表面に多数開口する噴出孔２２ｄに対する引掛かりを防止して、平板状の氷１１の水皿２２の表面での滑動を一層円滑にしている。
【図面の簡単な説明】
【図１】本発明に係る除氷運転を適用して生成された氷を袋詰めした状態を示す斜視図である。
【図２】同袋詰め氷の縦断面図である。
【図３】同除氷運転を適用する製氷機を構成部とする氷製造装置の概略構成図である。
【図４】同製氷機の概略側面図である。
【図５】同製氷機の除氷運転時における作動を示す側面図（ａ）〜（ｄ）である。
【符号の説明】
１１…氷、１１ａ…連結部、１１ｂ…スリット、１１ｃ…角氷部、１２…袋、１２ａ，１２ｂ…樹脂フィルム、２０…製氷機、２０ａ…製氷部、２０ｂ…可動機構部、２０ｃ…製氷水タンク、２１…製氷器、２１ａ…枠部、２１ｂ…製氷室、２１ｃ…仕切壁、２１ｄ…冷却部、２２…水皿、２２ａ…上方皿部、２２ｂ…給水通路、２２ｃ…捕集水部、２２ｃ1…連結ピン、２２ｄ…噴出孔、２２ｅ…リブ、２２ｆ…係合ピン、２３ａ…給水ポンプ、２３ｂ…連結ホース、２３ｃ…給水管、２４…駆動アーム、２４ａ…円形状本体、２４ｂ…アーム部、２４ｃ…回転軸、２４ｄ…突起、２５ａ…第１連結アーム、２５ａ1…長穴、２５ｂ…第２連結アーム、２５ｂ1…長穴、２５ｃ…第３連結アーム、２５ｃ1…連結ピン、２６ａ…テンションスプリング、２６ｂ…引張ワイヤ、２７…押動ロッド、２８…駆動モータ、Ｆ1…フレーム、ｓｗ1、ｓｗ2、ｓｗ3…スイッチ。
【図１】
0004176883.tif 000002
【図２】
0004176883.tif 000003
【図３】
0004176883.tif 000004
【図４】
0004176883.tif 000005
【図５】
0004176883.tif 000006